(57)【要約】      （修正有）【課題】海中における不必要雑海藻類の駆除方法を提供する。【解決手段】海中で移動及び作業できる接地面積の多い履帯を有した水中作業機７に上下動可能なフレーム８を設け、そのフレーム８に砂泥床内部の不必要雑海藻類の地下茎・髭根を切断分割できるカッター４を配し、さらに砂泥床部に挿入し高周波振動を起こし砂泥床部を液状化させる為の高周波バイブレーター６、及び前記液状化現象を促進させる為の海水をバイブレーター６付近に注水する注水管１３を併設し、液状化された砂泥床内部でカッター４により切断分割された地下茎・髭根を砂泥床上面に掻き上げる為のフォーク５を設けそれら作業機器等を楕円揺動させ地下茎、髭根に団塊状に付着した砂泥をふるい落とす事が出来る事を特徴とする水中作業機、及び前述水中作業機を海上より操作操縦する機器を備え、また動力の供給、給水の供給を行う機器を搭載した作業台船３により構成した。【選択図】図１
2012029672.tif 000002
【特許請求の範囲】
【請求項１】
海中の砂泥床部で容易に移動し均一な作業精度を得るように接地面積の多い履帯を有した不必要雑海藻類駆除機本体と、前記本体に取り付けられた上下動操作が可能なフレームに砂泥床内部の地下茎・髭根を切断する為のカッター及び砂泥床を高周波振動によって液状化させる為の高周波バイブレーター、及び前記液状化を促進させる為の海水を注水する事が出来る注水管を併設搭載し、そのバイブレーターの発生する高周波振動により砂泥部を液状化しさらに砂泥床内部から前述カッターによって適当に切断された地下茎・髭根を５０ヘルツから７０ヘルツの楕円揺動する事により地下茎、髭根に団塊状に付着している砂泥をふるい落とし砂泥床表面に掻き上げる為のフォークを備えた海中作業機。
【発明の詳細な説明】
【技術分野】
【０００１】  本発明はアサリやシジミ等の生産圃場の砂泥床部に繁茂するアマモ・コアマモ等の不必要雑海藻等の海中における駆除作業を効率的及び均一な作業精度で行う事が出来るとともに、アマモ・コアマモ等の砂泥床中の地下茎・髭根等の根部の駆除を行う事により、砂泥床に残留する不必要雑海藻類の地下茎・髭根からの再生、繁殖を防止し、同域に生息するアサリやシジミ等の生息環境を保全する効果を発揮するものである。
【背景技術】
【０００２】  従来の不必要雑海藻類の駆除には鉄製のチェーンを海底で曳き海藻をそぎ取る方法や高圧水の噴射による駆除、漁具を転用した駆除機による方法、農耕用の耕運機による耕起撹拌による方法、海藻の生えた砂泥床を掘削捨土処理する事による駆除方法などがある。例えば、特許文献１〜８、非特許文献１〜９、が知られている。
【先行技術文献】
【特許文献】
【０００３】
【特許文献１】特公開２０００−１０３３８７（雑海藻等の駆除船及び雑海藻等の駆除方法）
【特許文献２】特公開平０８−２９００８６（水中噴射装置）
【特許文献３】特公開平０８−１５４５５９（雑海藻の駆除方法及び駆除装置）
【特許文献４】特公開平０６−２５３７１４（海底内雑海藻等の駆除装置）
【特許文献５】特公開平０５−１３７４７４（昆布魚場の海底駆除工法とその装置）
【特許文献６】特公開平０７−１２２６５（海底内雑海藻等の駆除装置）
【特許文献７】実公開昭６２−３１１９０（水中掃除機）
【特許文献８】特願平１−３１８６３８（漁礁清掃機）
【０００４】
【非特許文献１】「海底土砂の駆除による雑草床の駆除」
【非特許文献２】「金属チェーン等の曳きずりによる雑海藻の海底からの切除」
【非特許文献３】「高圧水による雑海藻類の海底からの剥離」
【非特許文献４】「金属ブラシによる削り取り」
【非特許文献５】「爆発物による剥ぎ取り」
【非特許文献６】「水中ブルドーザーによる削り取り」
【非特許文献７】「油圧ショベルによる剥ぎ取り」
【非特許文献８】「農業機械を利用した耕起撹拌による駆除」
【非特許文献９】「魚具等を利用した底曳き作業による刈り取り」
【発明の概要】
【発明が解決しようとする課題】
【０００５】  上述した従来技術のものは、不必要雑海藻類の駆除範囲が駆除用チェーンの移動回転する円の作業範囲であり、また鉄塊や魚具が転動する作業範囲であるため広い面積の駆除作業を行うためには作業船を幾度も移動往復させなければならず作業効率に限界があるという問題がある。
また、実公昭６２−３１１９０号の発明の、高水圧の噴射による駆除方法ではノズルからの噴流の反力を相殺する機能しかないとともに、ノズルからの噴流を弱めてしまう不具合がある。さらに駆除用チェーンを曳行する方法ではチェーンが岩に引掛かかる欠点がある。また、火薬を用いて駆除する方法は危険性が高いという欠点がある。そして、バケットの爪を用いる駆除方法は作業進行状況確認の目視が困難な為十分な均一作業精度が得られない欠点がある。更に、魚礁清掃機では、岩盤への接触等による金属ブラシの破壊や、また駆除の作業状況確認が容易でない為に、確実に不要雑海藻等を掻き払うことができないという欠点がある。そして前述の駆除方法では海中での手探り作業から作業域全体を均一な作業精度で処理する事が出来ない欠点があった。
以上に述べた従来の不必要雑海藻類の駆除方法では、前述した課題の他、アサリやシジミ等の生育する砂泥床等に繁茂する不必要雑海藻類を効率良くまた、均一な作業精度で駆除する事や砂泥中の不必要雑海藻類の地下茎・髭根を駆除する事は不十分であった。【０００６】  また、不必要雑海藻類の地下茎・髭根の生息する砂泥床部分の掘削捨土による駆除方法では、砂泥床部分に生息する成長したアサリ貝、シジミ貝等や、その稚貝や卵等まで一緒に混獲され排棄処理される為、圃場の生産行為の再開に経年を要する問題点があった。【０００７】  さらには砂泥床を撹拌し掘削する時に発生する濁水による水質汚染や、駆除した砂泥や不必要雑海藻類等の産業廃棄物としての処理方法や処分費が課題となっている。【０００８】  本発明は、このような従来の構成が有していた問題を解決しようとするものであり、アサリやシジミ等の生産圃場内における砂泥床の不必要雑海藻類の駆除作業を効率的かつ均一な作業精度で行う事が出来るとともに、不必要雑海藻類の地下茎・髭根の駆除により再生や繁殖の防止、作業によって生じる汚濁水の発生の防止、さらには生息している成貝、稚貝、卵等の残留保全を図り不必要雑海藻類の駆除作業後の生産圃場の早期の再生を図るものである。
【課題を解決するための手段】
【０００９】  そして、本発明は上記目的を達成する為に、海上に停泊する作業台船は、海中作業機の海中への昇降用クレーン及び海中作業機の動力源を含む操縦操作機器、海中での作業状況を確認できる監視モニターテレビ及び給水ポンプを配した構造とする。【００１０】  また、海中作業機は砂泥床部で容易に移動し均一な作業精度を得るように接地面積の多い履帯を有し、また水中での作業状況の確認を行う為の水中カメラ監視装置を備え、海中作業機の前部には諸作業機械を取付ける事が出来る上下に可動が可能なフレームを配し、そのフレームの先端にカッター及びバイブレーターと注水管そして楕円揺動するフォークを取付けた構造とする。【００１１】  上記第１の解決手段による作用は次の通りである。作業台船に積載された海中作業機は不必要雑海藻類の繁茂する海中の砂泥床にクレーンで下ろされる。【００１２】  海中の砂泥床に配置された海中作業機は作業台船から監視モニターテレビの視聴による操縦操作で効率的に移動し圃場内砂泥床の不必要雑海藻類の駆除作業を効率的かつ均一な作業精度にて行う事が出来る。【００１３】  海中作業機の上下に稼働するフレームに取り付けられたカッターはフレームの下降により適宜砂泥床へ貫入し油圧モーターによる回転により砂泥床内部に生育する不必要雑海藻類の地下茎・髭根を適宜切断する。【００１４】  同様に海中作業機に備えられた上下に稼働するフレームに取り付けられた複数の連設するバイブレーターはフレームの下降により適宜砂泥床中に挿入され、高周波振動する事により機器周辺の砂泥床部を液状化させる。また併設された注水管は給水ポンプから送水管を介して給水を受け、前記バイブレーターの周辺に注水する事によりバイブレーターの振動により発生する液状化作用を促進させる。【００１５】  そして、同時に下降したフォークは液状化された砂泥床部を通過しカッターにより切断分割された地下茎・髭根を砂泥床表面へと掻き上げるとともに、５０ヘルツから７０ヘルツの周波数で楕円揺動し地下茎、髭根に団塊状に付着している砂泥をふるい落とす作用を促すと言う効果を発揮する。
【発明の効果】
【００１６】  上述したように本発明の不必要雑海藻類駆除機は砂泥床内部に生育する不必要雑海藻類等の地下茎・髭根を海中作業機に備えられたフレームに配置されたカッターにより適当に切断分割し、さらに砂泥床に挿入されたバイブレーターの高周波振動作用及び注水により液状化された砂泥床内部から適当に切断分割された地下茎・髭根をホフォークにより砂泥床内部より砂泥床表面へ掻き上げ、楕円揺動動作により地下茎・髭根に団塊状に付着している砂泥をふるい落とし、駆除する事が出来る。また前述した動作により砂泥床が耕起されると言う効果も発揮する。【００１７】  また上記バイブレーターの作用による砂泥床の液状化現象により地下茎・髭根による砂泥床への固着機能を失った不必要雑海藻類は自己の持つ浮力により砂泥床より離床し地下茎・髭根と共に海中に浮遊するという効果を発揮する。【００１８】  また、砂泥床内の地下茎・髭根が無くなることから地下茎・髭根による不必要雑海藻類等の再生、繁殖の発生を抑制する効果とともにアサリやシジミの採取作業が地下茎や髭根に邪魔されずに容易に出来ると言う効果も発揮する。【００１９】  さらには本発明による不必要雑海藻類駆除機は不必要雑海藻類の駆除作業を行うに当たり砂泥床を掘削、撹拌する事がないので汚濁水の発生を防止でき、また掘削による駆除作業で発生する掘削砂泥等の廃棄物の発生が無いなど、環境にも優しい。【００２０】  そして本発明は砂泥床の掘削捨土方式による駆除作業にみられる成貝、稚貝、卵等の混獲捨土処理による損失が無く、不必要雑海藻類の駆除後の圃場環境が保全され、駆除作業終了後、直ちに生産行為を行う事が出来ると言う効果を発揮する。そしてアサリやシジミなどは早期にバイブレーターの振動を感知できることから砂泥床から海中に突き出している水管をアサリ自身により切断する事を防ぐ効果を発揮する。【００２１】  また成長した不必要雑海藻類が船舶の推進装置へ絡まる障害を防止できる等海底が砂泥床の場合の不必要雑海藻類等の成長による航行障害の防止等に効果を発揮する。
【実施例】
【００２２】  以下、本発明の実施の形態を図１〜図２に基づいて説明する。【００２３】  図に於いて３作業台船は１クレーン、２動力源及び操縦操作盤、１１監視モニターテレビ、１５給水ポンプの他、海上に固定停泊する機能を有し７海中作業機を積載できる。【００２４】  １クレーンは３作業台船に固定されており無限旋回でき７海中作業機を積卸しする。【００２５】  ２動力源及び操縦操作盤は７作業機を稼働させる為の動力、及び作業を監視する為の１１監視モニターテレビ、７作業機を遠隔操作する為の操縦操作機器を有している。【００２６】  ７海中作業機は３作業台船の２動力源及び操縦操作盤からの動力の供給及び動作指示を受ける為の９油圧ホース、１０ケーブル、１４送水管と接続し、４カッター、５フォーク、６バイブレーター、８フレーム、１３注水管および作業機器等を楕円状に揺動させる為の１７油圧モーターを備え、そして作業状況を監視する為の１１監視カメラを有している。【００２７】  ８フレームは７海中作業機に備えられ、上下に可動し、１７油圧モーターにより楕円状に揺動する事が出来る４カッター、５フォーク、６、バイブレーター、１３注水管を伴っている。【００２８】  ４カッターは８フレームに支持され８フレームの降下により砂泥床部に加圧貫入し、油圧モーターにより自転する。【００２９】  ６バイブレーター、１３注水管は８フレームに支持され８フレームの降下により砂泥床に加圧挿入され、６バイブレーターは高周波振動を発生し１３注水管は１５給水ポンプからの海水を１４送水管を介して６バイブレーター付近に注水をする。【００３０】  ５フォークは８フレームに支持され８フレームの降下で砂泥床に加圧挿入され１７油圧モーターにより楕円揺動する。【００３１】  以下上記構成の動作を説明する。
３作業台船に設置されている１クレーンにより７海中作業機を３作業台船から砂泥床へ卸し砂泥床にて１クレーンから７海中作業機を切り離す。【００３２】  １クレーンによって下ろされた７海中作業機は３作業台船に設置されている２動力源及び操縦操作盤に配されている１０監視モニターテレビ及び７海中作業機に配されている１１テレビカメラからの映像により２動力源及び操縦操作盤機器により砂泥床での移動及び作業を行う。【００３３】  ７海中作業機に於いては３作業台船の２動力源及び操縦操作盤から動力の供給及び操作指示を９油圧ホース、１０ケーブル、を介して受け４カッター、５フォーク、６バイブレーター、を稼働し砂泥床での水中作業を行う。【００３４】  ４カッターは８フレームの降下により砂泥床部に加圧貫入され、自転するカッターにより砂泥床部に生息する不必要雑海藻類の地下茎・髭根を適当に切断分割する。１６櫛は不必要雑海藻類を左右に振り分ける。【００３５】  ６バイブレーターは８フレームの降下により砂泥床内部に加圧挿入され、本機の高周波振動により砂泥床内部で地盤を高周波振動させ砂泥床部周辺を液状化させる。そして１３注水管は１５給水ポンプからの海水を１４送水管を介して６バイブレーター付近に注水し液状化現象を促進させる。【００３６】  ５フォークは８フレームの降下により砂泥床に加圧貫入され、６バイブレーターの高周波振動作用によって液状化された砂泥床内部の４カッターによって切断された不必要雑海藻類の地下茎・髭根を砂泥床上面に掻き上げ１７油圧モーターによる楕円揺動により地下茎、髭根に団塊状に付着した砂泥をふるい落とす。【００３７】
【図面の簡単な説明】
【００３８】
【図１】不必要雑海藻類駆除機及び作業台船の側面図である
【図２】不必要雑海藻類駆除機の平面図である
【符号の説明】
【００３９】  １  クレーン
２  動力源及び操縦操作盤
３  作業台船
４  カッター
５  フォーク
６  バイブレーター
７  海中作業機
８  フレーム
９  油圧ホース
１０  ケーブル
１１  監視モニターテレビ
１２  監視カメラ
１３  注水管
１４  送水管
１５  給水ポンプ
１６  櫛
１７  油圧モーター
【図１】
2012029672.tif 000003
【図２】
2012029672.tif 000004